(57)【要約】【課題】食品用簡易容器の開口部を封緘するために接着される蓋材を容易に開封でき、また、食品用簡易容器を包装する包装材を容易に破り取れるようにする食品用簡易容器の開封補助シールを提供すること。【解決手段】一方の面に粘着面を有するシール基材１０より構成し、食品用簡易容器の蓋材に貼着される貼着部２０と、貼着部２０より延設される摘み部３０とを備えて開封補助シール１００を形成する。【選択図】  図１
2004161331.tif 000002
【特許請求の範囲】
【請求項１】
一方の面に粘着面を有するシール基材からなり、食品用簡易容器の開口を封緘する蓋材または前記食品用簡易容器を包装する包装材に貼着される貼着部と、
貼着部より延設される摘み部とを有することを特徴とする食品用簡易容器の開封補助シール。
【請求項２】
摘み部は、粘着面側に折り返すための折り返し部を有することを特徴とする請求項１に記載の食品用簡易容器の開封補助シール。
【発明の詳細な説明】
【０００１】
【発明の属する技術分野】
本発明は、食品用簡易容器の開口を封緘する蓋材の開封を容易にしたり、食品用簡易容器を包装する包装材を破り易くするために使用する食品用簡易容器の開封補助シールに関するものである。
【０００２】
【従来の技術】
スーパーマーケットやコンビニエンスストア等の量販店において販売されているゼリー、プリン、羊羹等のデザート菓子や米飯や麺類等の即席食品、弁当や総菜等の食品類は、食品用簡易容器に収容されている。
食品用簡易容器は、プラスチックやポリプロピレン等から形成されており、食品を収容する容器本体と、容器本体の開口を封緘する蓋材とからなる。
蓋材には、フィルム材からなり容器本体に接着する接着型と、容器本体と嵌合させる嵌合型とがある。接着型の蓋材は、その周縁が食品用簡易容器に形成されるフランジ部にヒートシーリング処理によって接着されている。このような蓋材の多くは、その周縁がフランジ部の外周縁と一致するように形成されるとともに、一部が外方に突出してタブが形成されている（例えば、特許文献１参照）。
【０００３】
また、嵌合型の蓋材は、周縁に形成される凹部が、容器本体の周縁に形成される凸部と嵌合して開口部を封緘する。そして、蓋材の一部を摘んで引き上げることによって取り外しできるようにしている（例えば、特許文献２参照）。
【０００４】
さらに、食品用簡易容器は、食品用簡易容器を薄手のフィルム材などからなる包装材によって包装して製品としたものがある（例えば特許文献３参照）。
【０００５】
図５には、接着型の蓋材２２０を備える食品用簡易容器２００を示している。この食品用簡易容器２００は、容器本体２１０にフランジ部２１１が形成されており、蓋材２２０には、フランジ部２１１との未接着の部分からなるタブ２２１を備えている。そして、開封の際には、先ず爪先でタブ２２１を引っ掛けてフランジ部２１１から浮かせ、その後タブ２２１を摘んで引き剥がせるようになっている。しかしながら、タブ２２１とフランジ部２１１とは密接した状態にあるために爪先が引っ掛かりにくく、タブ２２１を浮かせることが困難な場合があった。また、タブ２２１が小さいため、指先でしっかりと摘めないという問題もあった。さらに、蓋材２２０がフランジ部２１１にヒートシーリング等によって強固に接着されているものもあり、引き剥がすときに力を必要とするものもあった。
【０００６】
図６には、嵌合型の蓋材２２０を備える食品用簡易容器２００を示している。蓋材２２１は、通常、タブとなる部分が特定されておらず、容器本体２１０から取り外す際に蓋材２２０のどの部分を持って取り外せば良いのかが判然とせず、取り外ししにくいものもあった。
【０００７】
図７には、包装材２３０によって包装された食品用簡易容器２００を示している。包装材２３０は、商品の搬送時や陳列時に容易に破れない素材が用いられるとともに、食品用簡易容器２００に密着して包装されているために爪先が引っ掛かりにくいため、これを破り取る際には、わざわざカッターやハサミ等の道具を使って一部に切り込みを入れて破り口を作り、そこから包装材を破り取るということもしばしばなされていた。
【０００８】
【特許文献１】特開２００１−２１３０号公報（第１図及び第２図）
【特許文献２】特開２００２−１６６９５１号公報（第１図）
【特許文献３】特開平７−２３２７６０号公報（段落番号０００２〜０００６）
【０００９】
【発明が解決しようとする課題】
本発明は上記のような問題を鑑みてなされたものであり、食品用簡易容器において、容器本体に接着または嵌合される蓋材を簡単に取り外しできるようにし、また、食品用簡易容器を包装する包装材を簡単に破れるようにする食品用簡易容器の開封補助シールを提供することを課題とするものである。
【００１０】
【課題を解決するための手段】
上記課題を解決するために、請求項１に記載の発明が採った手段は、一方の面に粘着面１１を有するシール基材１０からなり、食品用簡易容器２００の包装材２３０または食品用簡易容器２００の開口を封緘する蓋材２２０に貼着される貼着部２０と、貼着部２０より延設される摘み部３０とを有することを特徴とする食品用簡易容器２００の開封補助シール１００である。
【００１１】
この開封補助シール１００は、貼着部２０と摘み部３０とを備えて構成されており、接着型又は嵌合型の蓋材２２０の開封する場合、または食品用簡易容器を包装する包装材を破り取る場合に用いられるものである。
【００１２】
開封補助シール１００を接着型の蓋材２２０に用いる場合には、図２（ｉ）に示すように、摘み部３０が蓋材２２０のタブ２２１と重なるように、貼着部２０を蓋材２２０の表面２２０ａに貼着する。そして、図２（ｉｉ）に示すように、摘み部３０を摘んで開封補助シール１００を引っ張ると、これに伴って蓋材２２０に形成されるタブ２２１が容器本体２１０のフランジ部２１１から浮き上がることとなるので、蓋材２２０を簡単に引き剥がせるようになる。
【００１３】
また、嵌合型の蓋材２２０に用いる場合には、図３（ｉ）に示すように、貼着部２０を蓋材２２０の表面２２０ａの適当箇所に貼着することにより、摘み部３０がタブとして機能できるようになる。次いで、図３（ｉｉ）に示すように、摘み部３０を摘んで開封補助シール１００を上方へ引っ張ると、蓋材が貼着部に粘着されたまま持ち上げられて、容器本体２１０から簡単に取り外すことができるようになる。
【００１４】
さらに、包装材２３０を破り取る場合には、図４に示すように、まず、貼着部２０を包装材２３０の表面の２３０ａ適当箇所に貼着する。そして、摘み部３０を摘んで上方に引っ張ると、包装材２０５が開封補助シール１００に粘着されたまま引き破られて、破り口を形成することができる。これによって、包装材２３０をカッター等の道具を使うことなく簡単を破れるようになる。
【００１５】
また、請求項２に記載の発明が採った手段は、摘み部３０には、粘着面１１側に折り返すための折り返し部３１を有することを特徴とする請求項１に記載の食品用簡易容器の開封補助シール１００、である。
【００１６】
この開封補助シール１００は、図１に示すように、摘み部３０に折り返し部３１を形成して、摘み部３０を開封補助シール１００の粘着面１１側に折り返すことができるようにしたものである。
【００１７】
このように、折り返し部３１によって摘み部３０を粘着面１１側に折り返し可能とすることで、特に接着型の蓋材２２０の開封に用いるときに、図２（ｉｉｉ）に示すように、開封補助シール１００を蓋材２２０のタブ２２１の表裏両面から挟み込むようにして貼着することができるようになる。これによって、開封補助シール１００が剥離することなくしっかりと貼着できるとともに、摘み部３０によって蓋材２２０のタブ２２１が拡大された状態となって指先全体を使って摘めるようになるので、指先に力が入れやすくなり、強力に接着された蓋材２２０であっても簡単に引き剥がせるようになる。
【００１８】
【発明の実施の形態】
本発明は、食品用簡易容器を容易に開封できるようにするために、蓋材又は包装材に貼着して用いる開封補助シールである。開封補助シールは、シール基材から形成され、貼着部と摘み部とを備える。
【００１９】
シール基材は、一方の面に粘着面を有するものであり、一般にラベルやステッカーに適用されるシール基材を用いることができる。例えば、上質紙、コート紙、フォイル紙、含浸紙等の紙基材や、ポリエステルフィルム、塩ビフィルム、ポリプロピレンフィルム等のプラスチックフィルム基材の一表面に、アクリル形粘着剤やゴム系粘着剤等を付着して粘着面を形成したもの等を用いることができる。ただし、引っ張りやねじれによって破れにくく、容易に剥離しない粘着性を有するものを用いることが好ましい。また、粘着面の反対側の面、すなわち、貼着したときに表面を構成する面側には、図形や文字、商標等を印刷してもよい。なお、粘着面は、次に詳述する貼着部と摘み部のうち、貼着部だけに形成することもできるし、貼着部と摘み部との両方に形成することもできる。
【００２０】
貼着部は、開封補助シールのうち、食品用簡易容器の蓋材または包装材の表面に貼着される部分である。貼着部の形状は、特には限定されるものではなく、例えば、円形、四角形、三角形等、自由に設定することができる。ただし、容易に剥離することがないように、蓋材や包装材との接触面をなるべく大きく確保できる形状と大きさに形成することが好ましい。
【００２１】
摘み部は、開封補助シールを蓋材又は包装材に貼着して開封等を行う際に、指先で摘めるようにする部分であり、貼着部から延設される。摘み部の形状や大きさは、特には限定されないが、開封時に力を加えやすいように指先全体を使って摘める大きさに形成することが好ましい。
【００２２】
また、摘み部には、折り返し部を形成してもよい。折り返し部は、摘み部を開封補助シールの粘着面側に折り返し可能とする部分である。これは、特に接着型の蓋材を開封する場合に有効であり、摘み部を蓋材に形成されるタブの裏面側に折り返して貼着できるようにすることにより、開封補助シールを引っ張ったときに容易に剥離しないようにするものである。
【００２３】
以下、本発明の実施例を図に基づいて説明する。
（実施例１）
図１には、本実施例に係る開封補助シール１００を示しており、図２には開封補助シール１００の使用方法について示している。開封補助シール１００は、その一方の面の全面に粘着剤を付着して粘着面１１が形成されたコート紙からなるシール基材１０から形成されており、通常は粘着面１１が図示しない台紙上に固定された状態にある。開封補助シール１００には、貼着部２０と摘み部３０と折り返し部とを有する。
【００２４】
貼着部２０は、開封補助シール１００を食品用簡易容器２００の蓋材２２０の表面２２０ａに貼着される部分であり、貼着部２０は略楕円形に形成されている。そして、粘着面１１と反対側の面となる表面１２には蓋材２２０に貼着する部分であることを使用者に対して明確にするための目印が印刷されている。
【００２５】
摘み部３０は、開封補助シール１００を蓋材２２０に貼着したときに、指先で摘んで蓋材２２０を開封するために形成される。この摘み部３０は、貼着部２０より延設されており、円形が２つ連なったような形状に形成されている。
【００２６】
折り返し部は、この折り返し部３１は、摘み部３０を開封補助シール１００の裏面となる粘着面１１側へ折り返せるようにするものであり、摘み部３０の中間部分、すなわち、円形が２つ連なって生じるくびれの部分に形成される。
【００２７】
次に、本実施例に係る開封補助シール１００を用いて食品用簡易容器を開封する方法を図２に基づいて説明する。
【００２８】
開封補助シール１００を用いて蓋材２２０の開封を行うには、まず開封補助シール１００を台紙から剥がして、図２（ｉ）に示すように、摘み部３０が蓋材に形成されるタブ２２１と重なるようにかつ蓋材２２０の周縁から突出した状態となるように蓋材２２０の表面２２０ａに貼着する。次いで、図２（ｉｉ）に示すように摘み部３０を指先で摘んで開封補助シール１００を上方側に引き上げると、これに伴って、フランジ部と密接した状態にあったタブ２２１が開封補助シール１００との粘着を維持したまま浮き上がるので、図２（ｉｉｉ）に示すように、摘み部３０に形成される折り返し部３１から、摘み部３０の先端側部分を粘着面１１側に折り返してタブ２２１の裏面に貼着する。これによって、開封補助シール１００をタブ２２１の表面と裏面とから挟み込むようにして貼着することができる。そして、図２（ｉｖ）に示すように、折り返された状態にある摘み部３０を摘みながら開封補助シール１００を後方側に引っ張ると、蓋材２２０が引き剥がされて開封することができる。
【００２９】
このように、本実施例に係る開封補助シール１００を用いて接着型の蓋材２２０の開封することにより、蓋材２２０のタブ２２１をフランジ部２１１から簡単に浮かせることができるとともに、摘み部３０によってタブが拡大された状態となって指先全体で摘みやすくなるので、蓋材２２０を簡単に引き剥がせるようになる。さらに、蓋材２２０をその表面と裏面とから挟み込むようにして貼着することができるので、例えば、食品用簡易容器２００に強力に接着されている蓋材２２０を開封する場合であっても、開封補助シール１００が剥離するといった事態を防止することができる。
【００３０】
また、図３には、嵌合型の蓋材２２０を備える食品用簡易容器２００を開封する方法について説明している。まず、図３（ｉ）に示すように、開封補助シール１００の貼着部２０を蓋材２２０の表面２２０ａに貼着する。このとき、なるべく周縁近傍部分に貼着するようにする。そして、図３（ｉｉ）に示すように、摘み部３０を摘んで上方に引き上げると、これに伴って蓋材２２０が開封補助シール１００との粘着を維持したまま引き上げられて、取り外されることとなる。
このように開封補助シール１００を嵌合型の蓋材２２０の開封に用いることによって、摘み部３０が蓋材２２０を取り外す際のタブとして機能するので、取り外しを容易に行うことができる。
【００３１】
図４は、本実施例に係る開封補助シール１００を用いて包装材２３０を破る方法について説明している。開封補助シール１００を用いて包装材２３０を破るには、開封補助シール１００の貼着部２０を包装材２３０に貼着し、摘み部３０を摘んで開封補助シール１００を引っ張る。すると、これに伴って貼着部２０が貼着された部分から破られて破り口が形成されるので、ここから包装材２３０を簡単に破り取ることができるようになる。
【００３２】
【発明の効果】
請求項１に記載の食品用簡易容器の開封補助シールによれば、貼着部と摘み部とを有することにより、接着型の蓋材の開封に用いる場合には、蓋材に形成されるタブを食品用簡易容器のフランジから簡単に浮かせることができるとともに、摘み部によって蓋材のタブ部分が拡大されて指先全体で摘めるようになるので、蓋材の開封を簡単に行えるようになる。また、嵌合型の蓋材の開封に用いる場合には、蓋材の表面に貼着することによって摘み部が蓋材のタブとして機能するので、これを摘んで引き上げることにより蓋材の取り外しを容易に行えるようになる。さらに、包装材に貼着して摘み部を摘みながら引っ張ることによって、カッターやハサミ等の道具を使わずに包装材を簡単に破ることもできる。
【００３３】
請求項２に記載の食品用簡易容器の開封補助シールによれば、請求項１に記載の食品用簡易容器の開封補助シールの効果に加えて、摘み部に折り返し部を設けたことによって、蓋材に形成されるタブをその表面と裏面とから挟むようにしてしっかりと貼着できるので、例えば、強固に接着された蓋材を開封する場合であっても、開封補助シールが蓋材から剥がれることなく開封することができる。
【図面の簡単な説明】
【図１】実施例１に係る開封補助シールの平面図である。
【図２】実施例１に係る開封補助シールを用いて接着型の蓋材を備える食品用簡易容器を開封する方法を説明する図である。
【図３】実施例１に係る開封補助シールを用いて嵌合型の蓋材を備える食品用簡易容器を開封する方法を説明する図である。
【図４】実施例１に係る開封補助シールを用いて食品用簡易容器の包装材を破る方法を説明する図である。
【図５】接着型の蓋材を備える食品用簡易容器を示す斜視図である。
【図６】嵌合型の蓋材を備える食品用簡易容器を示す斜視図である。
【図７】包装材により包装された食品用簡易容器を示す斜視図である。
【符号の説明】
１０  シール基材
１１  粘着面
２０  貼着部
３０  摘み部
３１  折り返し部
１００  開封補助シール
２００  食品用簡易容器
２２０  蓋材
２３０  包装材
【図１】
2004161331.tif 000003
【図２】
2004161331.tif 000004
【図３】
2004161331.tif 000005
【図４】
2004161331.tif 000006
【図５】
2004161331.tif 000007
【図６】
2004161331.tif 000008
【図７】
2004161331.tif 000009